(57)【特許請求の範囲】
【請求項１】
廃棄物埋立地などのガス発生地盤の表層部に通気層を形成し、
この通気層の表面を気密性シ−トで被覆し、
かつ通気層内に、発生したガスを収集して所定の処理場に送る集気管を配置し、
下端が前記ガス発生地盤の下方の支持層まで到達する構造物基礎杭の上端部全周を、
上下方向に伸縮する気密性伸縮部材で被覆し、
ガス発生地盤の沈下に追従して前記伸縮部材を伸長させ、
前記基礎杭上端部の気密性を維持させてガス漏れを防止できるよう構成したことを特徴とする、
ガス発生地盤のガス抜き構造。
【請求項２】
請求項１に記載のガス発生地盤のガス抜き構造において、
前記通気層は、前記ガス発生地盤上に砂利等の充填材を敷き詰めて構成したことを特徴とする、
ガス発生地盤のガス抜き構造。
【請求項３】
請求項１乃至２のいずれかに記載のガス発生地盤のガス抜き構造において、前記ガス抜き構造の周囲地盤中に遮水壁を構築し、
限定区域のガス抜きを行えるよう構成したことを特徴とする、
ガス発生地盤のガス抜き構造。
【請求項４】
請求項１乃至３のいずれかに記載のガス発生地盤のガス抜き構造により行うガス抜き方法において、
前記ガス発生地盤層に空気を圧入し、
細菌を増殖させてガスの発生を促し、
発生したガスを集気管で収集して所定の処理場に送ることを特徴とする、ガス発生地盤のガス抜き方法。
【発明の詳細な説明】
【０００１】
【発明の属する技術分野】
本発明は、廃棄物埋立地などのガス発生地盤におけるガス抜き構造及びガス抜き方法に関するものである。
【０００２】
【従来の技術】
廃棄物埋立地は、公園やグラウンド、体育館等のスポ−ツ施設等の敷地として利用されている。しかし、廃棄物による埋立地であるため、ガスの発生と地盤沈下が起こり易く問題となっている。従来は、図３に示すように、表面地盤層ｂから支持層ｅまで達する支持杭ｆを打設し、その上部にトラス構造床ｇを構築して、ガス発生地盤層ｃと人工地盤ｈとの間に開放空間ａを介在させ、かつ人工地盤ｈの適所に発生ガスの吹抜開口ｉを設けることで上記問題の解決を試みていた（特開平５−２３７４６３号）。
【０００３】
【発明が解決しようとする課題】
上記の従来技術には次のような問題点が存在する。
＜イ＞発生ガスは吹抜開口ｉを介して大気中に拡散するため、根本的なガス抜き対策にはならず、人工地盤上の施設等への有毒ガスや悪臭の影響は依然として解消されない。
【０００４】
＜ロ＞開放空間ａ内にガスが滞留することは否めず、開放空間ａ内の環境はひどく悪い状態となる。
【０００５】
＜ハ＞トラス構造床ｇからなる人工地盤ｈは、構造が複雑でかつ高価なものとなる。
【０００６】
【発明の目的】
本発明は、上記のような問題点を解決するためになされたもので、廃棄物埋立層等で発生するガスを効果的に処理し、有毒ガスや悪臭の問題を解消できる、ガス発生地盤におけるガス抜き構造及びガス抜き方法を提供することを目的とする
。
【０００７】
【課題を解決するための手段】
上記課題を解決するための手段として本発明は、廃棄物埋立地などのガス発生地盤の表層部に通気層を形成し、 この通気層の表面を気密性シ−トで被覆し、かつ通気層内に、発生したガスを収集して所定の処理場に送る集気管を配置し、下端が前記ガス発生地盤の下方の支持層まで到達する構造物基礎杭の上端部全周を、上下方向に伸縮する気密性伸縮部材で被覆し、ガス発生地盤の沈下に追従して前記伸縮部材を伸長させ、前記基礎杭上端部の気密性を維持させてガス漏れを防止できるよう構成したことを特徴とする、ガス発生地盤のガス抜き構造を提供する。
【０００８】
さらに本発明は、上記記載のガス発生地盤のガス抜き構造において、前記通気層は、前記ガス発生地盤上に砂利等の充填材を敷き詰めて構成したことを特徴とする、ガス発生地盤のガス抜き構造を提供する。
【０００９】
さらに本発明は、上記記載のガス発生地盤のガス抜き構造において、前記ガス抜き構造の周囲地盤中に遮水壁を構築し、限定区域のガス抜きを行えるよう構成したことを特徴とする、ガス発生地盤のガス抜き構造を提供する。
【００１０】
さらに本発明は、上記記載のガス発生地盤のガス抜き構造により行うガス抜き方法において、前記ガス発生地盤層に空気を圧入し、細菌を増殖させてガスの発生を促し、発生したガスを集気管で収集して所定の処理場に送ることを特徴とする、ガス発生地盤のガス抜き方法を提供する。
【００１２】
【発明の実施の形態】
以下、図１、２を参照しながら、本発明の一実施の形態について説明する。なお、以下の実施の形態は、構造物の基礎構造に本発明のガス抜き構造を応用した場合について説明する。
【００１３】
＜イ＞通気層
通気層１は、ガス発生地盤層２の表層部に所定の厚さで形成される。例えば、ガス発生地盤層２上に、砂利や砕石等の充填材２１を層状に敷き詰めて構築する
。
【００１４】
＜ロ＞気密性シ−ト
気密性シ−ト３は、通気層１の表面を所定範囲に亘って被覆するものである。この気密性シ−ト３により、ガス発生地盤層２内に発生ガスを封入し、大気中にガスが放出しないようにする。
【００１５】
＜ハ＞集気管
集気管４は、有孔の管体であり、通気層１内に適宜配管され、発生したガスを収集して所定の処理場に送るためのものである。
【００１６】
＜ニ＞伸縮部材
図１、２に示す符号５は、下端がガス発生地盤層２の下方の支持層まで到達する構造物６の基礎杭である。伸縮部材７は、この基礎杭５の上端部全周を被覆するものであり、上下方向に伸縮する気密性部材で形成する。例えば、筒状の蛇腹などを用いて、その下端は気密性シ−ト３の基礎杭貫通穴３１の周縁部に接合する。また、その上端部は、基礎杭５の上端にバンド等で固定する。伸縮部材７の上端及び下端はいずれもシ−ルを確実に行い、気密性を確保する。伸縮部材７の伸長時の長さは沈下量に見合った長さとする。なお、気密性シ−ト３と伸縮部材７を一体に形成すれば気密性がより向上する。
【００１７】
＜ホ＞遮水壁
上記ガス抜き構造の周囲地盤中に遮水壁８を構築する場合もある。この場合には、限定した区域のガス抜きを行うことができる。また、強制的に発生ガスを吸引するため、バキュ−ムをかける場合にも遮水壁８が必要となる。なおこの場合には、遮水壁８と気密性シ−ト３との接合箇所をシ−ルして、気密性を確保する
。
【００１８】
【ガス抜き方法】
図１は地盤沈下前の状態であるが、ガス発生地盤層２で発生したガスは通気層１を通って集気管４により収集され、所定の処理場まで送気される。そして、そこで焼却処理などが行われる。集気管４では、強制的にバキュ−ムする方法と自然排出する方法が考えられる。なお、ガス収集の際に、ガス発生地盤層２に空気を圧入し、バクテリア等の細菌を増殖、活発化させてガスの発生を促し、ガスの収集効率を高めることもできる。
【００１９】
図２は、地盤沈下が発生した状態を示す。このとき、伸縮部材７は沈下に追従して伸長する。そのため、基礎杭５の上端部に隙間が発生することがなく、気密性を維持させて確実なガス漏れ防止が図れる。
【００２０】
【発明の効果】
本発明は以上説明したようになるため、次のような効果を得ることができる。＜イ＞気密性シ−トによりガスを地盤中に封入した状態で、集気管によりガスを収集して所定の場所まで送気し、そこで焼却処理などを行える。そのため、ガスが大気中に拡散することがなく、効果的な処理が可能となる。従って、周辺に有毒ガスや悪臭の影響を及ぼすことがなく、廃棄物埋立地の利用価値を高めることができる。
【００２１】
＜ロ＞基礎杭上端部を伸縮部材で被覆することにより、地盤沈下が生じても、伸縮部材が追従して基礎杭上端部の気密性を維持することができる。従って、地盤沈下時に、基礎杭上端部からのガス漏れを防止できる。
【００２２】
＜ハ＞従来のトラス構造床と比較すると、本発明のガス抜き構造はきわめて簡素で、かつ安価である。
【００２３】
＜ニ＞ガス発生地盤層に空気を圧入することによって、細菌を増殖させてガスの発生を促すことができる。そのため、ガスの収集効率を高めることができる。
【図面の簡単な説明】
【図１】  本発明の一実施の形態の説明図
【図２】  ガス発生地盤が沈下した状態の説明図
【図３】  従来技術の説明図
【図１】
0003728708.tif 000002
【図２】
0003728708.tif 000003
【図３】
0003728708.tif 000004